(57)【要約】【課題】この発明は、屋根土を使用しない棟施工装置を得ることを目的としたものである。【解決手段】この発明は、上部に棟瓦の支持部を有し、下部に屋根下地への当接部を有する棟瓦の支持材を屋根の棟部へ設置し、前記支持材の上端部へ左右の防水シートの上端部を重ね合わせ、前記左右の防水シートの下端部は夫々屋根瓦上へ接着固定し、前記支持材の上端部へ棟瓦を被冠して固定し、前記屋根の最上端の屋根瓦と、前記支持材の下端部とは夫々掛止したことを特徴とする棟施工装置により、目的を達成した。【選択図】図１
2008190163.tif 000002
【特許請求の範囲】
【請求項１】
上部に棟瓦の支持部を有し、下部に屋根下地への当接部を有する棟瓦の支持材を屋根の棟部へ設置し、前記支持材の上端部へ左右の防水シートの上端部を重ね合わせ、前記左右の防水シートの下端部は夫々屋根瓦上へ接着固定し、前記支持材の上端部へ棟瓦を被冠して固定し、前記屋根の最上端の屋根瓦と、前記支持材の下端部とは夫々掛止したことを特徴とする棟施工装置。
【請求項２】
上部に棟瓦支持用の棟木の支持部を有し、下部に屋根下地への当接部を有する棟瓦の支持部の脚部を屋根の棟部へ所定間隔で設置し、前記支持材の上端部へ棟木を載置し、該棟木上へ防水シートの上端部を重ね合わせ、前記左右の防水シートは屋根瓦上へ接着固定し、前記棟木の防水シート上へ棟瓦を被冠固定し、前記支持材の脚部の止杆へ最上部の屋根瓦を掛止したことを特徴とする棟施工装置。
【請求項３】
上部に棟瓦支持用の棟木の支持部を有し、下部に屋根下地への当接部を有する棟瓦の支持部の脚部を屋根の棟部へ所定間隔で設置し、前記支持材の上端部へ棟木を載置し、該棟木上へ防水シートの上端部を重ね合わせ、前記左右の防水シートは屋根瓦上へ接着固定し、前記棟木の防水シート上へ棟瓦を被冠固定し、前記支持材の脚部の止杆へ最上部の屋根瓦を掛止し、前記防水シートの内側空間であって、支持部材を包むように発泡合成樹脂を充填したことを特徴とする棟施工装置。
【請求項４】
防水シートをクロロスルフォン化ポリエチレンフィルムとしたことを特徴とする請求項１〜３の何れか１項記載の棟施工装置。
【請求項５】
上部に棟瓦支持用の棟木の支持部を有し、下部に屋根下地への当接部を有する棟瓦の支持材の脚部を屋根の棟部へ所定間隔で設置し、該棟木上へ、棟瓦の内形と相似形の鋼板を載置し、該鋼板の両側下縁は、スポンジ条を介して屋根瓦上へ接着固定したことを特徴とする棟施工装置。
【請求項６】
防水シートの接着固定は、接着テープを使用したことを特徴とする請求項１〜３記載の棟施工装置。
【請求項７】
防水シートの固定は、ゴム系接着条又はゴム系接着条に金属網条を層着した接着条を用いることを特徴とした請求項１〜３記載の棟施工装置。
【請求項８】
防水シートの固定は、スポンジ条にゴム系接着条を層着し、その上に金属網条を層着した接着条を用いることを特徴とした請求項１〜３記載の棟施工装置。
【発明の詳細な説明】
【技術分野】
【０００１】
この発明は、屋根に棟瓦を設置するに当たり、屋根土を使用することなく、棟瓦を堅固に設置すると共に、棟瓦と最上部の屋根瓦との間を防水施工することを目的とした棟施工装置に関する。
【背景技術】
【０００２】
従来棟瓦の施工については、セメントモルタル又は屋根土を使用して、防水施工と瓦固定施工するのが普通とされている。
【０００３】
前記屋根土の施工は、予め調整してそのまま使用できるようにした屋根土の適量を屋根瓦と下地との間に介装し、瓦の固定と雨水等の浸入防止をして棟施工をしている。
【特許文献１】特公平５−６３４２６号
【特許文献２】特許第３１９６０５８号
【特許文献３】特許第２６１７１６１号
【特許文献４】実用新案登録第３１２３７６３号
【特許文献５】実開平５−４０４３７号
【発明の開示】
【発明が解決しようとする課題】
【０００４】
従来知られている屋根土は、棟まで持ち上げるのに不便であり、材料、工期その他の条件について改善を要請されていた。
【０００５】
また屋根土は重く、使用時に適量使用し、適宜変形はできるが、固化に時間がかかり、通気性がないので、通気を考慮しなければならず、通気の為に隙間を設ければ、この隙間から水が入らぬように工夫しなければならない問題点があった。また屋根土の使用は、作業効率が悪い問題点があった。
【課題を解決するための手段】
【０００６】
然るにこの発明は、棟瓦と、屋根瓦との間を耐久性の大きい防水シート（以下、「防水シート」という）で覆うことにより、所期の目的を達成し得ると共に、効率よく作業できるようになり、前記従来の問題点を解決したのである。前記防水シートの耐久性が大きいとは例えば１０年以上耐用性のあるシートをいう。
【０００７】
即ちこの発明は、上部に棟瓦の支持部を有し、下部に屋根下地への当接部を有する棟瓦の支持材を屋根の棟部へ設置し、前記支持材の上端部へ左右の防水シートの上端部を重ね合わせ、前記左右の防水シートの下端部は夫々屋根瓦上へ接着固定し、前記支持材の上端部へ棟瓦を被冠して固定し、前記屋根の最上端の屋根瓦と、前記支持材の下端部とは夫々掛止したことを特徴とする棟施工装置であり、上部に棟瓦支持用の棟木の支持部を有し、下部に屋根下地への当接部を有する棟瓦の支持部の脚部を屋根の棟部へ所定間隔で設置し、前記支持材の上端部へ棟木を載置し、該棟木上へ防水シートの上端部を重ね合わせ、前記左右の防水シートは屋根瓦上へ接着固定し、前記棟木の防水シート上へ棟瓦を被冠固定し、前記支持材の脚部の止杆へ最上部の屋根瓦を掛止したことを特徴とする棟施工装置である。
【０００８】
また、上部に棟瓦支持用の棟木の支持部を有し、下部に屋根下地への当接部を有する棟瓦の支持部の脚部を屋根の棟部へ所定間隔で設置し、前記支持材の上端部へ棟木を載置し、該棟木上へ防水シートの上端部を重ね合わせ、前記左右の防水シートは屋根瓦上へ接着固定し、前記棟木の防水シート上へ棟瓦を被冠固定し、前記支持材の脚部の止杆へ最上部の屋根瓦を掛止し、前記防水シートの内側空間であって、支持部材を包むように発泡合成樹脂を充填したことを特徴とする棟施工装置であり、防水シートをクロロスルフォン化ポリエチレンフィルムとしたものである。
【０００９】
次に、上部に棟瓦支持用の棟木の支持部を有し、下部に屋根下地への当接部を有する棟瓦の支持材の脚部を屋根の棟部へ所定間隔で設置し、該棟木上へ、棟瓦の内形と相似形の鋼板を載置し、該鋼板の両側下縁は、スポンジ条を介して屋根瓦上へ接着固定したことを特徴とする棟施工装置であり、防水シートの接着固定は、接着テープを使用したものである。
【００１０】
更に、防水シートの固定は、ゴム系接着条又はゴム系接着条に金属網条を層着した接着条を用いるものであり、防水シートの固定は、スポンジ条にゴム系接着条を層着し、その上に金属網条を層着した接着条を用いるものである。
【００１１】
前記この発明は、防水シートとして耐候性、耐久性に信頼性のあるシートを採用する点に改善がある。例えば「クロロスルフォン化ポリエチレンシート」（以下、「ＣＲＳＰシート」という）を用い、確実に防水、閉塞目的を達成すると共に、施工の容易性を確保したものである。前記においては、通気性については屋根下地と屋根瓦の隙間を通じ十分対応できると共に、例えば棟瓦支持材の側部（シートを立ち上げてから、５ｃｍほどの箇所）に、防水通気性の不織布を介在させて通気部を設ける。その他屋根瓦との接着部の適所に小隙間を設け、又は通気性スポンジ（連続気泡の発泡条）を介装することにより通気孔を確保することができる。
【００１２】
またこの発明においては、防水シートと屋根瓦との接着部にブチルゴム条と、金属網条を層着した接着条を使用することにより、瓦面との接着強度、変形の容易性（瓦面の変化にフィットする）、耐候性及び耐久性を具備した接着材を使用することにより、防水シートの固着を半永久に保証することができる。
【００１３】
前記における棟瓦の施工は、棟瓦の確保、防水性、外観性、耐久性及び施工容易性などを必須要件としているが、前記諸性質を完備する材質と装置が皆無に等しく、苦心する所であった。この発明は、前記材質、施工によって、満足すべき装置を得たのである。
【００１４】
前記において、防水シートは一例としてＣＲＳＰシートをあげたが、耐候性、耐久性を備えたシートならば、何れも使用することができる。例えば、クロロスルフォン化ポリエチレン（ＣＳＭ）、クロロプレンゴム（ＣＲ）、エチレンプロピレンゴム（ＥＰＤＭ）、ブチルゴムなどの架橋されたエラストマー、または、オレフィン系（ＴＰＯ)、ウレタン系(ＰＵ)、エステル系(ＴＰＥＥ)、アミド系(ＴＰＡＥ)、塩ビ系（ＴＰＶＣ)などの熱可塑性エラストマーが挙げられる。また、これらは、単独で用いられる場合や、ブレンドした状態で用いられる。
【００１５】
さらには、これら樹脂組成物に、合成繊維や無機繊維を混入させ、その強度を向上させることも可能である。さらに、これらシートの内側、または、外側に合成繊維や無機繊維などの織物または不織布を着装し、多層構造の状態で使用することも可能である。
【００１６】
多層構造の例としては、織物／エラストマー／織物、エラストマー／織物／エアラストマーなど多様な構造を用いることができる。また、単層構造、多層構造とした場合の各層の厚みは、特に限定されないが、０．１ｍｍから１ｃｍが効果的である。更に、シート素材の樹脂組成物を溶剤にて溶融し、前記の織物に塗布したものを使用することもできる。
【発明の効果】
【００１７】
この発明によれば、耐久性の大きい防水シートを使用したので、施工後１０年以上の耐用期間が見込まれる効果がある（例えばＣＲＳＰシートの場合には、露天使用後１０年経過して、なお修理又は取り換えの必要がないことが立証されている）。
【００１８】
また棟木又はこれに代わる支持材に棟瓦を載置し、前記支持材と、屋根瓦との間を防水シートで被覆する装置であるから、使用材の種類が少なく、構造が簡単であって、熟練者でなくとも確実に施工できるなどの諸効果がある。
【００１９】
次に施工の容易性から、施工能率を著しく向上することができるので、工期、工費共に低減できる効果がある。
【００２０】
更に排気手段の確保が容易（普通施工で確実に排気できると共に、必要に応じ適所へ排気手段を設けることも容易）である。
【００２１】
更に防水シート及びこれを用いた施工においては、使用材料が軽量の為に屋根に荷重負担をかけるおそれなく、屋根土使用に比較し、著しく軽量化することができる効果もある。
【００２２】
前記のように、耐久性、耐候性、施工性、効率化の何れにおいても従来の施工装置に優っているということができる。
【発明を実施するための最良の形態】
【００２３】
この発明は棟瓦を支持する為の縦断面方形の横材を縦材の上部に連設し、該縦材の下部へ屋根の下地に当接する脚材を側面ハ形に突設して支持材を構成する。前記支持材を屋根の棟部へ載置固定する。この固定は、釘打ち又は接着剤を使用する。
【００２４】
前記支持材の前後両側へ、耐候性合成樹脂製の防水シートを被着する。前記防水シートの上端部は、横材の上部へ重ね合わせ、下部は最上部の屋根瓦上へ、接着剤で接着固定する。
【００２５】
前記横材上へ重ねた防水シートの上部へ、押さえ板を載せ、押さえ板の上部へ棟瓦を被冠し、該棟瓦は適宜間隔で釘打ち固定する。
【００２６】
前記支持材の脚材先端部には、段部が設けてあって、屋根瓦の上部下面の突条と係止し、屋根瓦が滑り落ちないようにしてある。
【００２７】
前記防水シートは、耐光性、耐久性に優れた合成樹脂よりなるシートであって、例えばＣＲＳＰシート、ポリプロピレンシート、ポリウレタンシート又は塩化ビニリデンシートなどを使用することができる。
【００２８】
前記防水シートの下端部と、屋根瓦とは、接着剤で固定するが、その種類に限定されるものではない。
【実施例１】
【００２９】
この発明の実施例を図１、２、３に基づいて説明すると、棟瓦１を支持できる横材２を縦材３で支持し、縦材３の下部に屋根の棟部の屋根下地に当接する側面視ハ形の脚材４を連設して棟瓦１の支持材５を構成した。
【００３０】
前記支持材５を屋根６の棟部Ａに載置する。前記横材２の前後から耐候性合成樹脂よりなる防水シート７を被着し、該防水シート７、７の上部を横材２の上面で重ね合わせ、前記防水シート７、７の下部を、屋根瓦８、８の上面へ重ねて接着剤９、９で接着固定する。次に前記防水シートの重ね合わせた部分７ａの上部へ押さえ板１１を載置し、押さえ板１１の上部へ、棟瓦１を被冠して、釘１２で固定すれば、この発明の棟施工装置１０が完成する。
【００３１】
前記において、屋根６の下方から矢示１３のように上昇した排気は、各瓦の下面などを経て外界に排出される。また棟部へ換気扇を設けて積極的に排気する場合もある。
【００３２】
前記実施例において、脚材４の先端上面には突条１６、１６が設けてあって、前記屋根瓦８、８の上端下面に設けた突条１７、１７が係止して、前記屋根瓦８、８が矢示１８のように自然に移動するのを未然に防止している。
【００３３】
前記実施例において、図１の場合は防水シートの下端部と、屋根瓦の上面との間に接着剤９、９を介装したが、図３の実施例においては、接着剤１９と、スポンジ条２１と、ゴム系接着条２２と金属網条２３とを層着して得た接着条２０を使用することもできる（図４）。
【００３４】
前記における接着条２０は金属網条２３を層着したが（図４（ｃ）、（ｄ））、前記金属網条２３に代えて、金属箔２４を層着することもある。前記金属箔２４を層着した場合には、直線的使用は良いけれども、曲線的使用には不適当（湾曲困難の為）である。そこで金属箔２４に、適宜間隔（例えば３ｃｍ〜５ｃｍ間隔）でひだ２４ａを設ければ、容易に湾曲接着することができる。
【００３５】
前記接着条２０は、接着力が強いことは勿論、左右伸縮するので、変曲した場所でも使用し得るものである。
【００３６】
また前記ゴム系接着剤は、図３のように下方の防水シートの下面に当接固着する場合と（図３（ａ））、上面に当接固着する場合とがある（図３（ｂ））。
【００３７】
前記実施例における支持材は、合成樹脂の押出成型物として製造することができる。また突条１６により、脚材４の上面が排水溝となることもある。
【００３８】
前記防水シート７は例えばＣＲＳＰシートを用いる。前記実施例によれば、一体成形した支持材５を用いるので棟瓦１は安定支持されると共に、防水が確実に施工され、棟作業の迅速化を図ることができる。
【実施例２】
【００３９】
この発明の実施例を図５について説明すると、屋根６の棟部へ棟瓦１の支持枠２５を所定間隔（例えば１ｍ）で載置し、前記各支持枠２５の下部の脚板２８を屋根６へ嵌着し、夫々の上部受枠２６へ棟木２７を嵌入固定する。前記支持枠２５と、棟木２７の前後へ、防水シート７、７を被着し、防水シート７、７の上部は夫々棟木２７の上面で重ね合わせ、下部は屋根瓦８の上面へ接着剤９、９で接着固定する。
【００４０】
前記防水シート７、７の重ね合わせ部の上部へ押さえ板１１を重ね合わせた後、その上部へ棟瓦１を冠装し、釘１２で固定する。
【００４１】
前記防水シート７の内側であって、支持枠２５の付近には、支持枠２５を埋設するように、発泡合成樹脂材２９を充填すれば、この発明の棟施工装置１０が完成する。
【００４２】
前記支持枠２５の脚板２８の端縁部に突条３０を固定し（接着剤３１で固定）、突条３０へ、屋根瓦８の突条１７を係止して、屋根瓦８を敷設する。
【００４３】
前記実施例は、支持枠２５を発泡合成樹脂２９内へ埋設する為に、該部の支持が堅固になり、棟を堅固に構成できる効果がある。
【実施例３】
【００４４】
この発明の他の実施例を図６、７について説明すると、屋根６の棟部へ棟瓦１の支持枠２５を所定間隔で載置し、前記各支持枠２５の脚板２８を屋根６へ嵌着し、夫々の上部受枠２６へ、棟木２７を嵌入固定する。前記支持枠２５と、棟木２７の前後へ、防水シート７、７を被着し、防水シート７、７の上部は夫々棟木２７の上面で重ね合わせ、下部は、屋根瓦８の上面へ金属網条３９入りのブチルゴム３５で接着固定する。
【００４５】
前記屋根下地３３上に突条３４を接着剤３１で固定し、前記突条３４へ屋根瓦８の突条１７を掛止させ、棟木２７上へ棟瓦１を被冠し、釘１２で固定すれば、この発明の棟施工装置１０が完成した。
【００４６】
次に図７の実施例は、防水シート７の下端を接着剤３５で屋根瓦８に固定したものである。
【００４７】
前記図６、７の実施例は、ほぼ同一形状構造であって、防水シート７、７の固定構造を異にするのみであって他は全く同一であるから、その作用効果の説明を省略した。
【実施例４】
【００４８】
この発明の他の実施例を図８、９について説明すると、屋根６の棟部へ、棟瓦１の支持枠５を所定間隔で設置し、前記各支持枠５の脚板２８を屋根６へ嵌着し、夫々の上部受枠２６へ棟木２７を嵌入固定する。前記棟木２７の上へ、棟瓦１と相似形の金具３７を所定間隔で設置し、前記棟木２７と金具３７の前後へ、防水シート７、７を被着し、前記防水シート７、７の上部は、棟木２７及び金具３７を覆うように、重ね合わせ、前記防水シート７、７の下部は、屋根瓦８上へ、金属条３８で案内し、接着剤３５により接着してある。
【００４９】
前記防水シート７、７の重ね部上へ、棟瓦１を被冠し、釘１２で固着し、この発明の棟施工装置１０を構成した。図中３４は屋根瓦８を固定する突条である。
【００５０】
前記実施例は、防水シート７、７の下部を金属条３８で案内したので、堅固に形を決めて、整然と固定することができる。
【００５１】
次に図９の実施例は、図８の実施例の防水シート７の下端部を屋根瓦８上へ固定する際に、逆く字状の案内条３０、接着剤３５内に金属網条３９を埋設し、該部の強度を増強すると共に、保形性を向上させたものである。前記の他は、図８と同一につき説明を省略した。
【実施例５】
【００５２】
この発明の実施例を図１０、１１について説明すると、屋根６の棟部へ、棟瓦１の支持枠５を所定間隔で設置し、前記支持枠５の脚板２８を屋根６へ嵌着し、夫々の上部枠２６へ棟木２７を嵌入固定する。
【００５３】
前記棟木２７へ側面視下向きのコ状部４１ａを有し、該コ状部４１ａの下縁に側面視で傾斜部４１ｂを連設した金属仕切板４１を被冠し、傾斜部４１ｂの端縁下部は、スポンジ条４２、４２を介し、接着剤３５で屋根瓦８上へ固定する。前記金属仕切板４１上へ棟瓦１を被冠し、釘１２で固定すれば、この発明の棟施工装置１０が構成された。前記スポンジ条４２を連続気泡にすれば、通気性を保有させることができる。図中３４は屋根瓦８を固定する突条である。
【００５４】
次に図１１の実施例は、屋根６の棟部へ、棟瓦１の支持枠５を所定間隔で設置し、前記支持枠５の脚板２８を屋根６へ嵌着し、夫々の上部枠２６へ棟木２７を嵌入固定する。
【００５５】
前記棟木２７上へ、側面視が棟瓦１と相似形の金属板４３を被冠し、該金属板４３の左右下縁は内側へ屈曲して取付部４３ａ、４３ａとし、取付部４３ａ、４３ａはスポンジ条４２と、接着剤３５を介して屋根瓦８上へ接着固定し、この発明の棟施工装置１０が構成された。前記スポンジ条４２を連続気泡にすれば、通気性を付与することができる。
【図面の簡単な説明】
【００５６】
【図１】この発明の実施例の一部を断面し、一部を省略した側面図。
【図２】同じく支持材の実施例の一部拡大斜視図。
【図３】（ａ）同じく他の実施例の一部を断面し、一部を省略した側面図、（ｂ）同じく防水シート取付部の他の実施例の説明図。
【図４】（ａ）同じく接着条の一例を示す一部斜視図、（ｂ）同じく断面拡大図、（ｃ）同じく他の実施例の一部を省略した斜視図、（ｄ）同じく断面拡大図。
【図５】（ａ）同じく他の実施例の一部を断面し、一部を省略した側面図、（ｂ）同じく一部断面し、一部省略した正面図。
【図６】同じく他の実施例の一部を断面し、一部省略した側面図。
【図７】同じく他の実施例の一部を断面し、一部省略した側面図。
【図８】同じく他の実施例の一部を断面し、一部省略した側面図。
【図９】同じく他の実施例の一部を断面し、一部省略した側面図。
【図１０】同じく他の実施例の一部を断面し、一部省略した側面図。
【図１１】同じく他の実施例の一部を断面し、一部省略した側面図。
【符号の説明】
【００５７】
１  棟瓦
２  横材
３  縦材
４  脚材
５  支持材
６  屋根
７  防水シート
８  屋根瓦
９  接着剤
１０  棟施工装置
１１  押さえ板
１２  釘
１６、１７  突条
１９  ゴム系接着条
２０  接着条
２１  スポンジ条
２２  ゴム系接着剤
２３  金属網条
２４  金属箔
２５  支持枠
２６  上部受枠
２７  棟木
２８  脚板
２９  発泡合成樹脂
３０  突条
３１  接着剤
３２  ブチルゴム
３３  金網条
３４  突条
３５  接着剤
３６  スポンジ条
３７  金具
３８  金属条
３９  スポンジ条
４０  金属網
４１  金属仕切板
４２  スポンジ条
４３  金属板
【図１】
2008190163.tif 000003
【図２】
2008190163.tif 000004
【図３】
2008190163.tif 000005
【図４】
2008190163.tif 000006
【図５】
2008190163.tif 000007
【図６】
2008190163.tif 000008
【図７】
2008190163.tif 000009
【図８】
2008190163.tif 000010
【図９】
2008190163.tif 000011
【図１０】
2008190163.tif 000012
【図１１】
2008190163.tif 000013